(57)【要約】【課題】部材点数を抑えた構成で、コンセント等のプラグ受けから差込プラグが脱落することを適切に防止する脱落防止機構を有する配線用差込接続器を提供する。【解決手段】プラグ受け３０に差し込まれた差込プラグ２０がプラグ受け３０から脱落することを防止する脱落防止機構を備えた配線用差込接続器１０において、脱落防止機構は、差込プラグ２０に突出形成された突起部２６、突起部２６を受け入れ可能な形状及び大きさを有して差込プラグ２０の移動の軌道を構成する溝部４０を備え、溝部４０は、差込方向Ｐの奥側位置で上方または下方に伸長方向を変えた屈曲溝部４０ｂを有し、プラグ受け３０の凹部３４、接続用第１端子及び接続用第２端子は、差込プラグ２０の屈曲溝部４０ｂにおける差込方向Ｐの転換を許容する形状を有する。【選択図】図１
2013080645.tif 000002
【特許請求の範囲】
【請求項１】
接続用第１導体を有する差込プラグと、該差込プラグを差し込み可能に凹設された凹部を有するとともに前記差込プラグが差し込まれた状態で前記差込プラグの前記接続用第１導体と電気的に接続される接続用第２導体を有するプラグ受けと、前記差込プラグの差し込み状態で該差込プラグが脱落することを防止する脱落防止機構と、を備えた配線用差込接続器において、
前記脱落防止機構は、
前記差込プラグの側部から外方に突出形成された突起部と、
該突起部を受け入れ可能な形状及び大きさを有して前記プラグ受けに設けられ、該プラグ受けにおける開口縁部から前記差込プラグの差込方向の奥側に伸長して前記差込プラグの移動の軌道を構成する溝部と、を備え、
該溝部は、
前記差込方向の奥側位置で上方または下方に伸長方向を変えた屈曲溝部を有し、
前記プラグ受けは、
前記凹部が、前記屈曲溝部における前記差込プラグの差込方向の転換を許容する形状を有して形成され、
前記接続用第１端子及び接続用第２端子は、
互いに接続された状態で前記差込プラグの前記屈曲溝部における前記差込方向の転換を許容する形状を有して形成された、
ことを特徴とする配線用差込接続器。
【請求項２】
前記突起部は、
前記差込プラグの両側部にそれぞれ形成されたことを特徴とする請求項１に記載の配線用差込接続器。
【請求項３】
前記溝部は、
前記プラグ受けの開口縁部から前記差込方向の奥側に移行するに従って漸次下方に傾斜して形成され、
前記屈曲溝部は、
上方に伸長方向が転換して形成されたことを特徴とする請求項１または２に記載の配線用差込接続器。
【請求項４】
前記プラグ受けは、
前記凹部が前記開口縁部から前記差込方向の奥側に向かうに従って漸次拡大して形成され、
前記接続用第１端子及び接続用第２端子は、
いずれか一方が凹形端子または該凹形端子に挿入される凸形端子として形成され、他方が一方の端子と接続される前記凸形端子または凹形端子として形成され、
前記凹形端子は、
前記凸形端子の挿入方向先端部の大きさよりも大きく開口した挿入口から該凸形端子の挿入方向に沿って形成された挿入溝に配置された、
ことを特徴とする請求項１〜３のいずれか１項に記載の配線用差込接続器。
【発明の詳細な説明】
【技術分野】
【０００１】
本発明は、配線用差込接続器、特に、プラグ受けに差し込まれた差込プラグの脱落を防止する脱落防止機構を備えた配線用差込接続器に関する。
【背景技術】
【０００２】
一般に、配線用差込接続器は、電子機器等に電力を供給するための差込プラグ及び差込プラグが差し込まれるプラグ受けを有して構成されている。例えば、電子機器の差込プラグがプラグ受けに差し込まれている場合、具体的には、コンセントプラグがコンセントに差し込まれ、あるいはコネクタプラグがソケットに差し込まれている場合に、コードに足が引っ掛かったり、コンセントプラグやコネクタプラグ等の差込プラグの上方から差込プラグに物体が落下する等によって差込プラグに荷重が付与されたりすることで、コンセントやソケット等のプラグ受けから差込プラグが不意に脱落することがある。差込プラグがプラグ受けから不意に脱落すると、電子機器の破損等を生じるおそれがある。そこで、差込プラグが脱落することを防止する技術が、種々提案されている。
【０００３】
特許文献１には、コンセントに接続されたコンセントプラグの脱落防止機構を有する配線用差込接続器が開示されている。この配線用差込接続器は、コンセントプラグの凸形端子内で、凸形端子と重ね合わせられるように脱落防止レバーが設けられている。この脱落防止レバーは、凸形端子からコンセント内に突出する方向に付勢されており、コンセントプラグをコンセントに差し込む過程において脱落防止レバーが付勢に抗して凸形端子内に収納する方向に移動し、コンセントに差し込みが完了すると、脱落防止レバーが付勢に従ってコンセント内に突出する。これにより、コンセントプラグの脱落が防止される。コンセントからコンセントプラグを取り外す場合は、脱落防止レバーの付勢を解除するボタンを押しながら取り外す。
【０００４】
特許文献２には、ソケットに接続されたコネクタプラグの脱落防止機構を有する配線用差込接続器が開示されている。この配線用差込接続器は、コネクタプラグの引き抜き方向に突出するように回動するアーム部がソケットの近傍に設けられている。ソケットにコネクタプラグが接続された状態で、アーム部をコネクタプラグの引き抜き方向に突出するように回動させて、アーム部をコネクタプラグに係止させることで、コネクタプラグの脱落が防止される。
【先行技術文献】
【特許文献】
【０００５】
【特許文献１】特開平１１−１５４５５４号公報
【特許文献２】特開２００５−３８７８５号公報
【発明の概要】
【発明が解決しようとする課題】
【０００６】
特許文献１の配線用差込接続器によると、コンセントプラグの凸形端子内に凸形端子と重ね合わせられるように脱落防止レバーを設ける必要がある。また、凸形端子がコンセント内に突出する方向に付勢する構造を形成し、かつ脱落防止レバーの付勢を解除する構造を形成する必要がある。従って、部材点数が増加して構造が複雑化し、製造コストが増大する可能性がある。更に、部材点数の増加及び構造の複雑化に伴って、故障の可能性が高まることが想定される。
【０００７】
特許文献２の配線用差込接続器によると、コネクタプラグの引き抜き方向に突出するように回動するアーム部をソケットの近傍に設ける必要があることから、特許文献１と同様に、部材点数が増加して構造が複雑化し、製造コストの増大及び故障の可能性が高まることが想定される。更に、コネクタプラグの形状に合わせてアーム部を形成する必要があることから、汎用性に欠けることとなる。しかも、アーム部をソケットの近傍に設けることから、ソケット周辺の構造も煩雑化することが懸念される。
【０００８】
本発明は、上記課題に鑑みてなされたものであり、その目的は、部材点数を抑えた構成で、コンセント等のプラグ受けから差込プラグが脱落することを適切に防止する脱落防止機構を有する配線用差込接続器を提供することにある。
【課題を解決するための手段】
【０００９】
上記目的を達成するための請求項１に記載の発明による配線用差込接続器は、
接続用第１導体を有する差込プラグと、差込プラグを差し込み可能に凹設された凹部を有するとともに差込プラグが差し込まれた状態で差込プラグの接続用第１導体と電気的に接続される接続用第２導体を有するプラグ受けと、差込プラグの差し込み状態で差込プラグが脱落することを防止する脱落防止機構と、を備えた配線用差込接続器において、
この配線用差込接続器の脱落防止機構は、
差込プラグの側部から外方に突出形成された突起部と、
突起部を受け入れ可能な形状及び大きさを有してプラグ受けに設けられ、プラグ受けにおける開口縁部から差込プラグの差込方向の奥側に伸長して差込プラグの移動の軌道を構成する溝部と、を備え、
溝部は、
差込方向の奥側の位置で上方または下方に伸長方向を変えた屈曲溝部を有し、
プラグ受けは、
凹部が、屈曲溝部における差込プラグの差込方向の転換を許容する形状を有して形成され、
接続用第１端子及び接続用第２端子は、
互いに接続された状態で差込プラグの屈曲溝部における差込方向の転換を許容する形状を有して形成された、
ことを特徴とする。
【００１０】
この構成によれば、溝部が、突起部を受け入れ可能な形状及び大きさに形成されていることから、差込プラグの差込方向に沿った軌道状に形成された溝部によって、差込プラグが差込方向に案内される。差込プラグは、上方または下方に伸長方向を変えた屈曲溝部に突起部が係合することによって、プラグ受けからの不意の脱落が防止される。差込プラグの突起部と溝部の屈曲溝部との係合は、プラグ受けの凹部、接続用第１端子及び接続用第２端子が差込プラグの差込方向の転換を許容する形状に形成されることから、容易に達成することができる。従って、従来の配線用差込接続器で用いられていた脱落防止レバーやソケット近傍のアーム部といった複雑な構造を設ける必要がなく、差込プラグに突起部を形成し、プラグ受けに溝部を形成するという部材点数を抑えた構成で、差込プラグのプラグ受けからの不意の脱落を容易に防止することができる。
【００１１】
請求項２に記載の配線用差込接続器は、請求項１に記載の配線用差込接続器において、差込プラグの突起部は、差込プラグの両側部にそれぞれ形成されたことを特徴とする。
【００１２】
この構成によれば、突起部が差込プラグの両側部にそれぞれ形成されていることから、差込プラグの差込方向への差し込みを安定した状態で行うことができる。
【００１３】
請求項３に記載の配線用差込接続器は、請求項１または２に記載の配線用差込接続器において、
プラグ受けに形成された溝部は、
プラグ受けの開口縁部から差込方向の奥側に移行するに従って漸次下方に傾斜して形成され、
溝部の屈曲溝部は、
上方に伸長方向が転換して形成されたことを特徴とする。
【００１４】
この構成によれば、溝部が差込プラグを差込方向の奥側に移行するに従って漸次下方に傾斜して案内し、溝部の屈曲溝部が上方に伸長していることから、差込プラグの差込方向を屈曲溝部で転換させることによって、差込プラグを水平方向に保持する。従って、例えば、差込プラグの上方から差込プラグに物体が落下する等によって差込プラグを押し下げる方向の荷重が作用しても、突起部が屈曲溝部に係止して突起部の移動が規制され、差込プラグがプラグ受けから不意に脱落することが防止される。
【００１５】
請求項４に記載の配線用差込接続器は、請求項１〜３のいずれか１項に記載の配線用差込接続器において、
この配線用差込接続器のプラグ受けは、
凹部が開口縁部から差込方向の奥側に向かうに従って漸次拡大して形成され、
接続用第１端子及び接続用第２端子は、
いずれか一方が凹形端子または凹形端子に挿入される凸形端子として形成され、他方が一方の端子と接続される凸形端子または凹形端子として形成され、
凹形端子は、
凸形端子の挿入方向先端部の大きさよりも大きく開口した挿入口から凸形端子の挿入方向に沿って形成された挿入溝に配置された、
ことを特徴とする。
【００１６】
この構成によれば、凹部が差込方向の奥側に向かうに従って漸次拡大して形成され、挿入溝が凸形端子の挿入方向先端の大きさよりも大きく形成されていることから、凹形端子に凸形端子を挿入した状態で、プラグ受けの溝部における屈曲溝部で差込プラグの差込方向の転換を容易に行うことができる。
【発明の効果】
【００１７】
この発明によれば、従来の配線用差込接続器で用いられていた脱落防止レバーやソケット近傍のアーム部といった複雑な構造を設ける必要がなく、差込プラグに突起部を形成し、プラグ受けに溝部を形成するという部材点数を抑えた構成によって、差込プラグを引き抜く方向に差込プラグを引っ張ったり、差込プラグの引き抜き方向に不意に引張力が作用したりしても、差込プラグがプラグ受けから不意に脱落することがなくなる。その結果、電子機器や、電子機器で用いられるデータ等の破損が防止される。
【図面の簡単な説明】
【００１８】
【図１】本実施の形態に係る配線用差込接続器の概略を説明する図である。
【図２】同じく、本実施の形態に係る差込プラグの概略を説明する図である。
【図３】図２のＡ矢視図である。
【図４】本実施の形態に係るプラグ受けの概略を説明する図である。
【図５】本実施の形態に係る差込プラグをプラグ受けに差し込む状態の概略を説明する図である。
【図６】同じく、本実施の形態に係る差込プラグをプラグ受けに差し込む状態の概略を説明する図である。
【図７】同じく、本実施の形態に係る差込プラグをプラグ受けに差し込む状態の概略を説明する図である。
【発明を実施するための形態】
【００１９】
次に、本発明の実施の形態について、図１〜図７に基づいて説明する。なお、本実施の形態において、プラグ受けが電子機器に設けられ、このプラグ受けに差込プラグが差し込まれて電子機器に電力を供給する場合を例として説明する。
【００２０】
図１は、本実施の形態に係る配線用差込接続器１０の概略を説明する図である。図示のように、配線用差込接続器１０は、差込プラグとなるコネクタプラグ２０、及び電子機器１００にコネクタプラグ２０を差し込み可能に凹設された凹部３４を有するプラグ受けとなるソケット３０を備える。更に、配線用差込接続器１０は、コネクタプラグ２０がソケット３０に差し込まれた状態で、コネクタプラグ２０が脱落することを防止する脱落防止機構を構成する突起部２６、及びこの突起部２６と係合する溝部４０を備える。
【００２１】
脱落防止機構を構成する突起部２６は、本実施の形態では、コネクタプラグ２０の両側部から外方に突出するようにコネクタプラグ２０の両側部に形成されている。この突起部２６と係合する溝部４０は、ソケット３０の側部に沿って突起部２６を受け入れ可能な形状及び大きさを有して形成され、ソケット３０の開口縁部となる開口部３２から矢線Ｐで示すコネクタプラグ２０の差込方向奥側に伸長している。溝部４０は、コネクタプラグ２０の差し込みに伴って突起部２６と係合し、コネクタプラグ２０を差込方向Ｐの奥側に案内し、コネクタプラグ２０の差込方向Ｐへの移動の軌道を構成するように形成されている。更に溝部４０は、本実施の形態では、差込方向Ｐの奥側で上方または下方、本実施の形態では上方に伸長方向を変えて形成されている。
【００２２】
次に、本実施の形態における配線用差込接続器１０の各部の具体的構成について説明する。
【００２３】
図２は、コネクタプラグ２０の概略を説明する図である。図示のように、コネクタプラグ２０は、配線用コード１１０の端部に設けられ、コネクタプラグ２０を把持する部分となる本体部２２、本体部２２から突出して形成された差込部２４を有して形成される。差込部２４は、上部２４Ａ及び上部２４Ａと対向する底部２４Ｂ、上部２４Ａと底部２４Ｂとを連続する両側部２４Ｃを備え、上部２４Ａ、底部２４Ｂ及び両側部２４Ｃのそれぞれの端縁から連続する正面部２４Ｄを有する正面視六角形状に形成される。
【００２４】
側部２４Ｃには、本実施の形態では、両側部２４Ｃから外方に突出する円柱状の突起部２６がそれぞれ両側部２４Ｃの対向位置に形成されている。正面部２４Ｄには、本実施の形態では３個の挿入口２８が形成され、挿入口２８は、後述する凸形端子３６の挿入方向Ｉの先端部３６ａよりも大きく開口して形成される。この挿入口２８から本体部２２側に向かう方向、すなわち凸形端子３６の挿入方向Ｉに沿って挿入溝２８ａが形成される。この挿入溝２８ａに沿って、接続用第１導体となる凹形端子２８ｂが設けられている。この凹形端子２８ｂは、板状の金属部材が間隙を介して対向配置されて形成される。
【００２５】
図３は、図２のＡ矢視図である。図示のように、挿入溝２８ａは、挿入口２８から本体部２２側に向かうに従って漸次溝高さが減少する、すなわち、挿入口２８から本体部２２側に向かうに従って、挿入溝２８ａの上端縁２９ａが挿入溝２８ａの下端縁２９ｂに漸次近接するように傾斜して形成されている。なお、図３において、凹形端子２８ｂは、図示の簡略化のために省略している。
【００２６】
図４は、ソケット３０の概略を説明する図である。図示のように、ソケット３０は、コネクタプラグ２０の差込部２４における正面部２４Ｄの形状に倣って正面視六角形状に形成されて外部に開口する開口部３２を備えるとともに、この開口部３２からコネクタプラグ２０の差込方向Ｐに沿って凹設されて形成された凹部３４を備える。この凹部３４は、コネクタプラグ２０の差込方向Ｐの方向の転換を許容する形状に形成されている。
【００２７】
開口部３２は、上縁３２Ａ及び上縁３２Ａと対向する底縁３２Ｂ、上縁３２Ａと底縁３２Ｂとを連続する両側縁３２Ｃを備える。凹部３４は、開口部３２の上縁３２Ａから水平に延在する上壁３４Ａ、上壁３４Ａと連続するとともに開口部３２の両側縁３２Ｃから差込方向Ｐに向かって延在する両側壁３４Ｃ、両側壁３４Ｃと連続するとともに開口部３２の底縁３２Ｂから差込方向Ｐに向かうに従って上壁３４Ａから漸次離間する方向に傾斜して延在する底壁３４Ｂを有して形成される。
【００２８】
更に、上壁３４Ａ、底壁３４Ｂ及び両側壁３４Ｃの差込方向Ｐの奥側の端縁に奥壁３４Ｄが形成され、この奥壁３４Ｄに、コネクタプラグ２０の挿入口２８を介して凹形端子２８ｂに挿入される接続用第２導体となる凸形端子３６が形成される。
【００２９】
ソケット３０の凹部３４の両側壁３４Ｃには、コネクタプラグ２０の突起部２６と係合する溝部４０が形成されている。本実施の形態では、溝部４０は、ソケット３０の底壁３４Ｂと平行してコネクタプラグ２０を差込方向Ｐの奥側に案内する案内溝部４０ａ、案内溝部４０ａから連続して形成されて案内溝部４０ａの上方に屈曲するとともにコネクタプラグ２０の突起部２６を上方に案内する屈曲溝部４０ｂを有して形成される。この溝部４０の屈曲溝部４０ｂにおける上端部には、コネクタプラグ２０の突起部２６を係止する係止部４２が形成される。
【００３０】
次に、本実施の形態におけるコネクタプラグ２０をソケット３０に差し込む状態について、図５〜図７に基づいて説明する。なお、図５（ａ）、図６（ａ）及び図７（ａ）において、凸形端子３６は、図示の簡略化のために省略している。
【００３１】
図５（ａ）で示すように、まず、コネクタプラグ２０の差込部２４における底部２４Ｂをソケット３０の凹部３４における底壁３４Ｂに沿うように、コネクタプラグ２０をソケット２０の開口部３２から差し込んで、突起部２６を溝部４０の第１案内溝部４０ａに係合させる。コネクタプラグ２０を続いて差込方向Ｐに差し込んでいくと、突起部２６が凹部３４の案内溝部４０ａによって差込方向Ｐの奥側に案内される。
【００３２】
このとき、図５（ｂ）で示すように、ソケット３０の凸形端子３６は、コネクタプラグ２０の挿入口２８を介して挿入溝２８ａ内に水平に挿入され、挿入溝２８ａ内に設けられた凹形端子２８ｂの間隙に水平状態で挿入される。
【００３３】
図６（ａ）で示すように、コネクタプラグ２０を差込位置Ｂまで差し込むと、コネクタプラグ２０の差込部２４における正面部２４Ｄの上端部分が、ソケット３０の壁部３４における奥壁３４Ｄに当接する。この状態で、突起部２６は溝部４０の案内溝部４０ａの終端部分、すなわち差込方向Ｐの奥側に位置することとなる。
【００３４】
このとき、図６（ｂ）で示すように、コネクタプラグ２０の挿入溝２８ａ内に水平に挿入されたソケット３０の凸形端子３６は、凸形端子３６の上端縁が挿入溝２８ａの上端縁２９ａに沿って挿入溝２８ａの溝深さ方向全域に亘って挿入されて、凹形端子２８ｂの間隙に挿入される。
【００３５】
この状態で、コネクタプラグ２０を矢線Ｌで示す電子機器１００の下方に向かって押し下げると、図７（ａ）で示すように、突起部２６が、案内溝部４０ａから上方に屈曲する屈曲溝部４０ｂに案内されて係止部４２に導かれ、突起部２６が係止部４２に係止する。
【００３６】
これにより、コネクタプラグ２０がソケット３０に嵌合保持される。このとき、図７（ｂ）で示すように、ソケット３０の凸形端子３６は、コネクタプラグ２０の凹形端子２８ｂに対して水平方向に挿入された状態で保持される。
【００３７】
このように、本実施の形態に係る配線用差込接続器１０によると、コネクタプラグ２０の突起部２６とソケット３０の溝部４０とを係合させて差込位置Ｂまで差し込んだ状態で、コネクタプラグ２０の本体部２２を電子機器１００の下方向Ｌに押し下げると、突起部２６が溝部４０の屈曲溝部４０ｂによって溝部４０の上方に案内されて、係止部４２に係止する。これにより、コネクタプラグ２０を引き抜く方向にコネクタプラグ２０を引っ張っても、コネクタプラグ２０がソケット３０から脱落することがない。
【００３８】
一方、コネクタプラグ２０の上方からコネクタプラグ２０の本体部２２に、凹形端子２８ｂ側を押し上げる方向の荷重が作用しても、突起部２６が係止部４２に係止して突起部２６が上方へ移動することが規制されることから、コネクタプラグ２０がソケット３０から脱落することがない。
【００３９】
従って、ソケット３０からコネクタプラグ２０が不意に脱落することが防止され、電子機器１００や、電子機器１００で用いられるデータ等の破損が防止される。
【００４０】
すなわち、従来の配線用差込接続器で用いられていた脱落防止レバーやソケット近傍のアーム部を設ける必要がないことから、部材点数を抑えた簡易な構成で製造コストを抑制したうえで、コネクタプラグのソケットからの脱落の防止を容易に実現することができる。
【００４１】
コネクタプラグ２０をソケット３０から引き抜く場合は、コネクタプラグ２０の凹形端子２６ｂを押し下げるように本体部２２を移動させることによって、係止部４２に係止した突起部２６が屈曲溝部４０ｂによって下方に案内されて、突起部２６と係止部４２との係止が解除される。
【００４２】
突起部２６と係止部４２との係止の解除により、コネクタプラグ２０がソケット３０から引き抜き可能となる。この状態で引き抜き方向にコネクタプラグ２０をソケット３０から引っぱると、コネクタプラグ２０をソケット３０から容易に引き抜くことができる。
【００４３】
ソケット３０の凹部３４は、開口部３２の底縁３２Ｂから差込方向Ｐに向かうに従って上壁３４Ａから漸次離間する方向に傾斜する底壁３４Ｂを有することから、コネクタプラグ２０の底部２４Ｂをソケット３０の底壁３４Ｂに沿わせてコネクタプラグ２０をソケット３０に差し込みながら、凸形端子３６の先端部３６ａよりも大きく開口して形成された挿入口２８から凸形端子３６を凹形端子２８ｂに水平方向に挿入することができる。その結果、コネクタプラグ２０の上下方向の差込角度の変更が許容され、差込角度の変更によって突起部２６を係止部４２へ案内して係止することができる。
【００４４】
なお、本発明は上記実施の形態に限定されることはなく、発明の趣旨を逸脱しない範囲で種々変更可能である。上記実施の形態では、凹形端子２６ｂを有するコネクタプラグ２０及び凸形端子３６を有するソケット３０によって配線用差込接続器１０が構成される場合を説明したが、凸形端子を有するコンセントプラグ及び差込方向に向かって凹設された凹部を有するとともにこの凹部の奥壁に凹形端子が形成されたソケットによって配線用差込接続器が構成されていてもよい。この場合、脱落防止機構は上記実施の形態と同様の構成で形成することができる。
【００４５】
上記実施の形態では、突起部２６が円柱状に形成されている場合を説明したが、例えば、突出する先端を球面状に形成してもよい。すなわち、突起部及び突起部と係合する溝部は、特定の形状に限定されることなく、互いに係合することが可能な形状であればよい。
【符号の説明】
【００４６】
１０    配線用差込接続器
２０    コネクタプラグ（差込プラグ）
２４    差込部
２６    突起部
２８    挿入口
２８ａ    挿入溝
２８ｂ    凹形端子（接続用第１端子）
３０    ソケット（プラグ受け）
３２    開口部
３４    凹部
３４Ａ    上壁
３４Ｂ    底壁
３６    凸形端子（接続用第２端子）
４０    溝部
４０ａ    案内溝部
４０ｂ    屈曲溝部
４２    係止部
Ｉ    挿入方向
Ｐ    差込方向
【図１】
2013080645.tif 000003
【図２】
2013080645.tif 000004
【図３】
2013080645.tif 000005
【図４】
2013080645.tif 000006
【図５】
2013080645.tif 000007
【図６】
2013080645.tif 000008
【図７】
2013080645.tif 000009